(57)【特許請求の範囲】
【請求項１】
洗車機による車の洗浄時にワイパーを収納して保護する保護具であって、
側面視が長方形状に形成されるとともに一方の短辺側に開口部が形成されてワイパーを収納し得る収納空間部が設けられた袋体と、この袋体の一方の長辺側に取り付けられた棒状体と、この棒状体に所定間隔おきに取り付けられた複数個の吸着部材とから構成し、
且つ上記各吸着部材を袋体に対して少なくとも１８０度回動し得るようにしたことを特徴とする洗車用ワイパー保護具。
【請求項２】
棒状体を袋体に対して回動可能に設けたことを特徴とする請求項１に記載の洗車用ワイパー保護具。
【請求項３】
袋体の一方の短辺側である開口部の長さよりも、他方の短辺側である閉塞部の長さを短くしたことを特徴とする請求項１または２に記載の洗車用ワイパー保護具。
【請求項４】
袋体を合成繊維からなるターポリン生地にて形成したことを特徴とする請求項１乃至３のいずれかに記載の洗車用ワイパー保護具。
【発明の詳細な説明】
【０００１】
【発明の属する技術分野】
本発明は、洗車用ワイパー保護具に関するものである。
【０００２】
【従来の技術】
通常、洗車機にて車を洗浄する場合、回転する洗浄ブラシにより車の表面が洗われるが、前面窓ガラスまたは後面窓ガラスに設けられているワイパーを損傷する虞れがあるため、洗浄時に、ワイパー全体が袋状の保護具に収納されて保護が図られている。
【０００３】
従来、このワイパー保護具としては、図５に示すように、短辺側が開口部５１ａとされた細長い長方形状の袋体５１の長辺に相当する上縁部および下縁部に、複数個づつ例えば３個づつ吸着盤５２が取り付けられたものであり、またこの袋体５１の側面視形状については、上下対称にされていた。なお、上下縁部に吸着盤５２が設けられるとともに上下対称にされているのは、ワイパーの非使用時におけるワイパーの傾倒姿勢が左方向および右方向のいずれの場合にも対処するためである。
【０００４】
【発明が解決しようとする課題】
上記従来のワイパー保護具の構成によると、上下縁部に吸着盤が設けられているため、非使用時におけるワイパーの傾倒姿勢は、窓ガラスの下端縁に沿うような状態であり、したがってこの状態で、ワイパー保護具をワイパーに被せて装着した場合、下縁部の吸着盤５２が車のボディ側に乗り上がり袋体５１自身が窓ガラスから浮き上がった状態となるため、洗車時に洗浄ブラシにより持ち上げられる虞れがあった。
【０００５】
そこで、本発明は、洗車時に、ワイパーを収納した袋体が持ち上げられるのを防止し得る洗車用ワイパー保護具を提供することを目的とする。
【０００６】
【課題を解決するための手段】
上記課題を解決するために、本発明の洗車用ワイパー保護具は、洗車機による車の洗浄時にワイパーを収納して保護する保護具であって、
側面視が長方形状に形成されるとともに一方の短辺側に開口部が形成されてワイパーを収納し得る収納空間部が設けられた袋体と、この袋体の一方の長辺側に取り付けられた棒状体と、この棒状体に所定間隔おきに取り付けられた複数個の吸着部材とから構成し、且つ上記各吸着部材を袋体に対して少なくとも１８０度回動し得るようにしたものである。
【０００７】
また、上記洗車用ワイパー保護具における棒状体を、袋体に対して回動可能に設けたものである。
また、上記各洗車用ワイパー保護具における袋体の一方の短辺側である開口部の長さよりも、他方の短辺側である閉塞部の長さを短くしたものである。
【０００８】
さらに、上記各洗車用ワイパー保護具における袋体を合成繊維からなるターポリン生地にて形成したものである。
上記の構成によると、長方形状に形成された袋体の一方の長辺側に、吸着部材を棒状体を介して少なくとも１８０度回動可能に設けたので、非使用時におけるワイパーの傾倒姿勢が左方向および右方向のいずれであっても、吸着部材を回動させるだけで、吸着部材を常に上側に位置させた状態でワイパーに装着し得る。すなわち、袋体の下縁部にも吸着部材が設けられているものと異なり、袋体が車の表面から殆ど突出することがないため、洗車時に、袋体が回転する洗浄ブラシにより持ち上げられるのを防止し得る。さらに、吸着部材の回動動作だけで左右のワイパーに対処することができるので、ワイパーへの装着を容易に行い得る。また、袋体の閉塞部の長さを開口部の長さよりも短くしているので、ワイパーへの装着時に、袋体が車の表面から突出するのを、より確実に防止し得る。さらに、袋体は、合成繊維からなるターポリン生地にて形成されているため、洗浄ブラシとの摩擦抵抗が小さくなり、したがって回転する洗浄ブラシによる袋体の持ち上げ力が非常に小さくなり、さらなる袋体の持ち上げ防止を図り得る。
【０００９】
【発明の実施の形態】
以下、本発明の実施の形態に係る洗車用ワイパー保護具を、図１〜図４に基づき説明する。
【００１０】
本実施の形態に係る洗車用ワイパー保護具は、例えば門型の洗車機にて、回転する洗浄ブラシにより車の洗浄を行う際に、車の前面または後面（後方）の窓ガラスに設けられたワイパーを収納して保護するものである。
【００１１】
すなわち、図１および図２に示すように、このワイパー保護具１は、側面視が細長い長方形状に形成され、且つ一方の短辺側（端縁側ともいう）に開口部２ａが形成されるとともに他方の短辺側が閉塞部２ｂにされて内部にワイパーを収納し得る収納空間部３が設けられた筒状の袋体２と、この袋体２の一方の長辺側（側縁側ともいう）である上縁部（ワイパーへの装着状態で上側となる）２ｃに取り付けられた棒状体４と、この棒状体４に所定間隔おきに取り付けられた複数個例えば４個の窓ガラスへの吸着盤（吸着部材の一例）５とから構成されており、またこれら各吸着盤５は、袋体２に対して少なくとも１８０度（前側と後側とに亘って）回動し得るようにされている。
【００１２】
すなわち、上記袋体２の上縁部２ｃには、ワイパーの収納空間部３とは別に、棒状体４を挿通し得る細長い挿入穴部６がその全長に亘って形成されるとともに、この挿入穴部６を形成する袋体２の上縁部２ｃの３箇所にて切欠部２ｅが形成され、この切欠部２ｅの箇所にて露出した棒状体４に吸着盤５が取り付けられている。なお、この吸着盤５は、図２に示すように、窓ガラスへの吸着カップ部７と、棒状体４に外嵌する取付穴８ａが形成された取付部８とから構成されている。勿論、この取付部８の取付穴８ａに棒状体４が挿通されて、袋体２に吸着盤５が取り付けられることになる。
【００１３】
そして、上記袋体２の形状については、基本的には細長くされているが、より正確には、開口部２ａが設けられた袋体２の一方の端縁部の長さ（高さ）よりも、他方の端縁部すなわち閉塞部２ｂの長さ（高さ）が短くされており、例えば棒状体４が水平にされた場合、袋体２の下縁部２ｄが開口部２ａ側から閉塞部２ｂ側に向って上方に傾斜されている。簡単に言えば、両端縁部２ａおよび２ｂを、それぞれ上辺および下辺とする台形状にされている。
【００１４】
また、上記袋体２は、合成繊維、例えばポリエステル繊維からなるターポリン生地にて形成されているため、洗浄ブラシとの摩擦抵抗が小さくなり、したがって回転する洗浄ブラシによる袋体への持ち上げ力は非常に小さいものである。
【００１５】
図３に示すように、洗車時に、ワイパー保護具１を、例えば後面窓ガラスＧに設けられて左方向に傾倒されたワイパーＷに装着する場合、袋体２の開口部２ａからワイパーＷをその収納空間部３内に挿入して収納させた後、棒状体４に取り付けられた吸着盤５の吸着カップ部７を、窓ガラスＧの方に向けるとともに押し付けて吸着させればよい。
【００１６】
そして、この状態で、洗浄ブラシにより車を洗浄した場合、例えばワイパーＷを収納した袋体２の下縁部２ｄは窓ガラス上に位置しており、従来のように、吸着盤が設けられていないため、窓ガラスＧの表面からそれ程突出することがなく、したがって洗浄ブラシにより袋体２が持ち上げられるのが防止される。
【００１７】
また、図４に示すように、上記ワイパー保護具１を、後面窓ガラスＧに設けられて右方向に傾倒されたワイパーに装着する場合、吸着盤５の吸着カップ部７を１８０度回転させて、袋体２の表側を裏側に反転させた後、左右を入れ替え、そして開口部２ａからワイパーＷを収納空間部３内に挿入させて装着すればよい。
【００１８】
このように、長方形状に形成された袋体２の上縁部に、窓ガラスへの吸着盤５を棒状体４を介して少なくとも１８０度回動可能に設けたので、非使用時におけるワイパーの傾倒姿勢が左方向および右方向のいずれであっても、吸着盤５を回動させるとともに袋体２の左右を入れ替える（左右の向きを変える）だけで、常に、吸着盤５を上側に位置させた状態でワイパーに装着することができる。すなわち、袋体２をワイパーに装着した状態では下縁部に吸着盤５がないため、したがって従来のように、必ず、袋体の下縁部に吸着部材が設けられているものと異なり、袋体が車の表面から殆ど突出することがないため、洗車時に、袋体が回転する洗浄ブラシにより持ち上げられるのを防止することができる。また、吸着盤５が上縁部にだけ取り付けられているため、下縁部２ｄをできるだけ小さく（短く）することができ、より一層、袋体が車の表面から突出するのを防止することができる。さらに、吸着盤５の回動動作だけで左右のワイパーに対処することができるので、ワイパーへの装着を容易に行うことができる。
【００１９】
また、袋体２の閉塞部２ｂ側での長さ（高さ）を開口部２ａ側の長さよりも短くしているので、ワイパーへの装着時に、袋体２が車の表面から突出するのを、より確実に防止することができる。
【００２０】
さらに、袋体２は、合成繊維、例えばポリエステル繊維からなるターポリン生地にて形成されているため、洗浄ブラシとの摩擦抵抗が小さくなり、したがって回転する洗浄ブラシによる袋体２の持ち上げ力が非常に小さくなり、さらなる袋体の持ち上げ防止を図ることができる。
【００２１】
【発明の効果】
以上のように本発明の洗車用ワイパー保護具の構成によると、長方形状に形成された袋体の一方の長辺側に、吸着部材を棒状体を介して少なくとも１８０度回動可能に設けたので、非使用時におけるワイパーの傾倒姿勢が左方向および右方向のいずれであっても、吸着部材を回動させるだけで、吸着部材を常に上側に位置させた状態でワイパーに装着することができ、したがって、従来のように、必ず、袋体の下縁部にも吸着部材が設けられているものと異なり、袋体が車の表面から殆ど突出することがないため、洗車時に、袋体が回転する洗浄ブラシにより持ち上げられるのを防止することができる。さらに、吸着部材の回動動作だけで左右のワイパーに対処することができるので、ワイパーへの装着を容易に行うことができる。
【００２２】
また、袋体の閉塞部の長さ（高さ）を開口部の長さよりも短くしているので、ワイパーへの装着時に、袋体が車の表面から突出するのを、より確実に防止することができる。
【００２３】
さらに、袋体は、合成繊維からなるターポリン生地にて形成されているため、洗浄ブラシとの摩擦抵抗が小さくなり、したがって回転する洗浄ブラシによる袋体の持ち上げ力が非常に小さくなり、さらなる袋体の持ち上げ防止を図ることができる。
【図面の簡単な説明】
【図１】本発明の実施の形態に係るワイパー保護具の斜視図である。
【図２】同ワイパー保護具の断面図である。
【図３】同ワイパー保護具の使用状態を示す斜視図である。
【図４】同ワイパー保護具の使用状態を示す斜視図である。
【図５】従来例に係るワイパー保護具の斜視図である。
【符号の説明】
１      ワイパー保護具
２      袋体
２ａ    開口部
２ｂ    閉塞部
２ｃ    上縁部
２ｄ    下縁部
３      収納空間部
４      棒状体
５      吸着盤
６      挿入穴
７      吸着カップ部
８      取付部
８ａ    取付穴
【図１】
0003849555.tif 000002
【図２】
0003849555.tif 000003
【図３】
0003849555.tif 000004
【図４】
0003849555.tif 000005
【図５】
0003849555.tif 000006